(57)【要約】【課題】イレギュラー入賞を抑制できる構成を有した入賞装置を遊技盤の遊技領域の下部領域に備えた遊技機を提供する。【解決手段】遊技領域内の下部に入賞装置を備えた遊技機であって、入賞装置は、遊技盤に形成された貫通孔を覆う盤面を形成する盤面形成板と、盤面形成板に形成された入賞口と、入賞口の横に位置するように盤面形成板に形成されたアウト口と、入賞口に遊技球を誘導する入賞誘導路と、遊技球を入賞誘導路からアウト口に導くアウト誘導路と、入賞口の上方における入賞誘導路とアウト誘導路とが分岐する位置において盤面形成板の前面から前方に突出するように設けられ、入賞誘導路を流下する遊技球が衝突することで当該遊技球の流下速度を減速させるための減速手段とを備え、減速手段は、左右方向に延長し、左端が入賞口の左端よりも左側に位置して、かつ、右端が入賞口の右端よりも右側に位置することを特徴とする。【選択図】図５
2018166973.tif 000002
【特許請求の範囲】
【請求項１】
遊技盤と、当該遊技盤に形成された遊技領域内の下部に設けられた入賞装置とを備えた遊技機であって、
前記入賞装置は、
前記遊技盤に形成された貫通孔を覆う盤面を形成する盤面形成板と、
前記盤面形成板に形成された入賞口と、
前記入賞口の横に位置するように前記盤面形成板に形成されたアウト口と、
前記入賞口に遊技球を誘導する入賞誘導路と、
遊技球を前記入賞誘導路から前記アウト口に導くアウト誘導路と、
前記入賞口の上方における前記入賞誘導路と前記アウト誘導路とが分岐する位置において前記盤面形成板の前面から前方に突出するように設けられ、前記入賞誘導路を流下する遊技球が衝突することで当該遊技球の流下速度を減速させるための減速手段とを備え、
前記減速手段は、左右方向に延長し、左端が入賞口の左端よりも左側に位置して、かつ、右端が入賞口の右端よりも右側に位置することを特徴とする遊技機。
【請求項２】
前記アウト誘導路の出口の間口寸法が当該アウト誘導路の入口の間口寸法よりも小さい寸法に形成されたことを特徴とする請求項１に記載の遊技機。
【発明の詳細な説明】
【技術分野】
【０００１】
本発明は、遊技球を入賞口に誘導する入賞誘導路から外れてアウト誘導路を介してアウト口側に流下した遊技球がアウト誘導路の出口を介してアウト誘導路、入賞誘導路に再び流入して入賞する、所謂、イレギュラー入賞を抑制できる構成を有した入賞装置が遊技盤の遊技領域に取付けられた遊技機に関する。
【背景技術】
【０００２】
従来、振分体と、振分体の上方に設けられた入口と、振分体の左右の下方に位置された左右の入賞口と、左右の入賞口の下方に設けられたアウト口と、入口を介して振分体に流下して振分体で受け止められた遊技球を振分体の左右の入賞口に導く左右の入賞誘導路と、入賞口に入賞しなかった遊技球をアウト口側に誘導するアウト誘導路とを有した振分装置付き入賞装置が、遊技盤の遊技領域に取付けられた構成の遊技機が知られている（特許文献１参照）。
【０００３】
上述した従来の入賞装置は、遊技盤の遊技領域における下部に設けられ、入口を介して振分体に流下して振分体で受け止められた遊技球を、左右の入賞誘導路のうちのいずれか一方に送り出すように構成されている。
【先行技術文献】
【特許文献】
【０００４】
【特許文献１】特開２０１４−２２３１７６号公報
【発明の概要】
【発明が解決しようとする課題】
【０００５】
しかしながら、特許文献１の入賞装置を備えた遊技機にあっては、入賞誘導路から外れてアウト誘導路を介してアウト口側に流下した遊技球がアウト誘導路の出口を介してアウト誘導路、入賞誘導路に再び流入して入賞する、所謂、イレギュラー入賞が発生しやすい。
特に、左右の入賞口及びアウト口が形成されたベースの前面において、アウト口の真上に位置する部分には、ベースの前面から前方に突出する突起が上下方向に延長するように設けられているが、当該突起は、入賞誘導路内に設けられているので、アウト誘導路を介してアウト口側に流下した遊技球がアウト誘導路の出口を介してアウト誘導路及び入賞誘導路に再び流入することを抑制する効果を、当該突起に期待することはできない。
【０００６】
本発明は上記課題を解決すべく、イレギュラー入賞を抑制できる構成を有した入賞装置を遊技盤の遊技領域の下部領域に備えた遊技機を提供するものである。
【課題を解決するための手段】
【０００７】
上記課題を解決するための本発明に係る遊技機は、遊技盤と、当該遊技盤に形成された遊技領域内の下部に設けられた入賞装置とを備えた遊技機であって、前記入賞装置は、前記遊技盤に形成された貫通孔を覆う盤面を形成する盤面形成板と、前記盤面形成板に形成された入賞口と、前記入賞口の横に位置するように前記盤面形成板に形成されたアウト口と、前記入賞口に遊技球を誘導する入賞誘導路と、遊技球を前記入賞誘導路から前記アウト口に導くアウト誘導路と、前記入賞口の上方における前記入賞誘導路と前記アウト誘導路とが分岐する位置において前記盤面形成板の前面から前方に突出するように設けられ、前記入賞誘導路を流下する遊技球が衝突することで当該遊技球の流下速度を減速させるための減速手段とを備え、前記減速手段は、左右方向に延長し、左端が入賞口の左端よりも左側に位置して、かつ、右端が入賞口の右端よりも右側に位置することを特徴とする。
なお、上記発明の概要は、本発明の必要な特徴の全てを列挙したものではなく、特徴群を構成する個々の構成もまた発明となり得る。
【発明の効果】
【０００８】
上記各構成に係る遊技機によれば、入賞口へのイレギュラー入賞を抑制できる。
【図面の簡単な説明】
【０００９】
【図１】パチンコ機の概略斜視図。
【図２】遊技盤の正面図。
【図３】入賞装置の分解斜視図。
【図４】振分体の振分体設置孔への組付状態を示す斜視図。
【図５】ベースの正面図。
【図６】カバーを裏側から見た正面図。
【図７】カバーを裏側から見た斜視図。
【図８】入賞装置の正面図（カバーの前面板を取り除いた状態での図示）。
【図９】振分装置の動作説明図。
【図１０】振分装置の正面図。
【図１１】振分装置の動作説明図。
【図１２】パチンコ機の制御ブロック図。
【発明を実施するための形態】
【００１０】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。尚、実施形態において、上、下、前、後（裏）、左、右は、各図に示した方向を言うものとして説明する。
【００１１】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容された遊技盤３０（図２参照）と、本体枠３の前方において開閉可能に軸着され、中央部に配設されたガラス窓４Ａ及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａ（図２参照）を視認することが可能である。
【００１２】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２７０（図１２参照）と接続されており、プッシュボタン９Ａ、及びダイアル９Ｂから出力される信号は、演出制御回路２７０側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１３】
［遊技盤の構成について］
本体枠３内に収容される遊技盤３０の中央部には、遊技者が演出表示装置１００の演出表示画面１０５及び役物装置５００を盤面構成体３１の前方から目視可能とするための表示孔３１Ｈが形成されている。盤面構成体３１は、表示孔３１Ｈの開口の面積と盤面３０Ｆの面積との比が例えば１，１程度となるように形成されている。
【００１４】
尚、盤面構成体３１の盤面３０Ｆ側における表示孔３１Ｈの周囲には、前側遊技部品の１つである遊技球誘導壁部３５が前方に向けて突設されている。遊技球誘導壁部３５は、盤面構成体３１の盤面３０Ｆ側における表示孔３１Ｈの上側開口縁、及び左右両側の開口縁を略円形状に取り囲むように延在する壁部である。上述のガラス窓４Ａが閉じられた場合において、遊技球誘導壁部３５の前端部とガラス窓４Ａとは、遊技球の直径未満で接近し、遊技球誘導壁部３５で囲まれた内側に遊技球が進入することは不可能とされる。
【００１５】
遊技盤３０には、遊技盤３０の盤面３０Ｆと、遊技球誘導壁部３５と、外ガイド部２７及び内ガイド部２８とによって区画された遊技領域３０Ａが形成される。遊技領域３０Ａは、遊技盤３０の盤面３０Ｆとガラス窓４Ａの後面との間に形成された遊技球の流下可能な空間である。また、遊技盤３０の盤面３０Ｆには、多数の釘２４や風車２５が稙設されており、遊技者のハンドルユニット７の操作に応じて駆動する図外の発射機構により発射され、遊技領域３０Ａ内に到達した遊技球は、多数の釘２４や風車２５によって不規則に誘導されつつ遊技領域３０Ａ内を流下する。
【００１６】
また、実施形態において遊技領域３０Ａは、図２に示すように、概ね左打ち領域ＥＬと右打ち領域ＥＲとに区分けされている。左打ち領域ＥＬは、遊技盤３０の左右間の中心線ＣＬよりも左側の領域であり、当該左打ち領域ＥＬに到達した遊技球は遊技領域３０Ａ内を流下する。
一方、右打ち領域ＥＲは、遊技領域３０Ａの中心線ＣＬよりも右側の領域であり、当該右打ち領域ＥＲに到達した遊技球は、遊技球の直径よりも僅かに広く、２個以上の遊技球が流下不能な右打ち通路３６を通って遊技領域３０Ａ内を１個ずつ流下する。
【００１７】
遊技盤３０の遊技領域３０Ａ内には、第１始動入賞部５０、第２始動入賞部５１，５２、大入賞装置６０、一般入賞部６６等が配設されており、これらの入賞部に遊技球が入球すると、各入賞部に対応した所定数の賞球が受皿６に払出される。
また、遊技球が第１始動入賞部５０、又は、第２始動入賞部５１、又は、第２始動入賞部５２に入球すると、上記賞球の払出しの他、大入賞装置６０を開放動作させ、遊技者にとって有利な状態を醸成する特別遊技の可否に関する抽選（特図当否抽選）や、当該特別遊技の態様を決定する抽選を始めとする各種の抽選が主制御回路２４０により実行される。即ち、第１始動入賞部５０、又は、第２始動入賞部５１、又は、第２始動入賞部５２への遊技球の入球は、上記各種の抽選を受ける契機となるものである。
第１始動入賞部５０、及び、一方の第２始動入賞部５１は、遊技領域３０Ａ内の下端部中央側に設けられた入賞装置３００に組み込まれている。
【００１８】
以下、各入賞部の構成について説明する。
第１始動入賞部５０、及び、一方の第２始動入賞部５１を備えた入賞装置３００は、遊技領域３０Ａの左右方向略中央において、上記表示孔３１Ｈの下側開口縁に沿って設けられたステージ４７の下方に配設される。第１始動入賞部５０は、後述するように、第１始動入賞口（左の入賞口３１３）と第１始動口検出スイッチＳＷ１（図１２参照）とを備え、第２始動入賞部５１は、後述するように、第２始動入賞口（右の入賞口３１４）と第２始動口検出スイッチＳＷ２Ａ（図１２参照）とを備え、第１始動入賞口より内部に取り込まれた遊技球は、第１始動口検出スイッチＳＷ１によって検出され、第２始動入賞口より内部に取り込まれた遊技球は、第２始動口検出スイッチＳＷ２Ａによって検出される。
【００１９】
図１２に示すように、第１始動口検出スイッチＳＷ１、及び、第２始動口検出スイッチＳＷ２Ａは、主制御回路２４０と接続されており、主制御回路２４０は第１始動口検出スイッチＳＷ１や第２始動口検出スイッチＳＷ２Ａからの検出信号に基づいて前述した各種の抽選処理や、賞球を例えば３個払い出す賞球払出処理を実行する。なお、本例において第１始動入賞部５０，第２始動入賞部５１の位置は、上述の左打ち領域ＥＬを流下する遊技球のみが入球し得る位置に設定されている。
【００２０】
第２始動入賞部５２は、右打ち領域ＥＲ内において前述した第１始動入賞部５０，第２始動入賞部５１を備えた入賞装置３００、及び、大入賞装置６０よりも上方に配設される。第２始動入賞部５２は、遊技盤３０の盤面３０Ｆより前方に突出し、側部が開口した図外の入賞口と、第２始動口検出スイッチＳＷ２Ｂ（図１２参照）と、入賞口の側部において開閉動作可能に設けられた開閉体５３とを備える。
図１２に示すように、第２始動口検出スイッチＳＷ２Ｂは主制御回路２４０と接続されており、主制御回路２４０は第２始動口検出スイッチＳＷ２Ｂからの検出信号に基づいて前述した各種の抽選処理や、賞球を例えば３個払い出す賞球払出処理を実行する。
【００２１】
開閉体５３は、盤面構成体３１の後面側に配設されたソレノイドＳＯＬ１（図１２参照）の駆動によって閉鎖状態と開放状態とを取り得る羽根状部材であり、開閉体５３が開放動作中である場合に限って遊技球は第２始動入賞部５２の入賞口に入球可能となる。
【００２２】
第２始動入賞部５２の上方には、通過ゲート５８が配設される。通過ゲート５８は、上下が開放した門型の遊技部品であって、その内部にはゲート検出スイッチＳＷ３（図１２参照）が格納されている。通過ゲート５８を通過した遊技球は、ゲート検出スイッチＳＷ３によって検出される。主制御回路２４０は、ゲート検出スイッチＳＷ３からの検出信号の入力を契機として前述の開閉体５３の開放の可否に関する各種の抽選を実行する。
【００２３】
次に、大入賞装置６０について概説する。図２に示すように、大入賞装置６０は、右打ち領域ＥＲにおいて、第２始動入賞部５２の下方に配設される入賞装置である。大入賞装置６０は、図外の上方開放の入球口として形成された大入賞口と、当該大入賞口を閉鎖状態又は開放状態とする開閉体６５とを備える。開閉体６５は、ソレノイドＳＯＬ２（図１２参照）の駆動によって遊技盤３０の左右方向に開閉動作して大入賞口を開閉する部材である。開閉体６５が大入賞口を閉鎖した状態において、遊技球は大入賞口内に入球することなく遊技領域３０Ａの下流に流下する。一方、後述の特別遊技が実行され、開閉体６５が大入賞口を開放した状態において、遊技球は大入賞口内に入球し、内部に配設された大入賞口検出スイッチＳＷ４（図１２参照）によって検出された後、機外に排出される。大入賞口検出スイッチＳＷ４は、主制御回路２４０と接続されており、主制御回路２４０側では、当該大入賞口検出スイッチＳＷ４からの検出信号の入力に基づいて賞球を例えば１５個払い出す賞球払出処理を実行する。上記構成からなる大入賞装置６０の位置は、右打ち領域ＥＲに打ち出された遊技球のみが入球し得る位置とされており、遊技球が右打ち領域ＥＲを流下し、かつ、特別遊技中において開閉体６５が開放動作中である場合に限って大入賞口への入球が可能となる。
【００２４】
一般入賞部６６は、遊技盤３０の左下側部に配設された部材であって、上方開口の複数の一般入賞口６６ａと、一般入賞口検出スイッチＳＷ５（図１２参照）とを備えており一般入賞口６６ａから入球した遊技球は、内部に収容された一般入賞口検出スイッチＳＷ５により検出される。当該一般入賞口検出スイッチＳＷ５は主制御回路２４０と接続されており、主制御回路２４０は一般入賞口検出スイッチＳＷ５からの検出信号に応じて賞球を例えば３個払い出す賞球払出処理を実行する。また、上述した各入賞装置のいずれにも入球しなかった遊技球は、後述する中央アウト口３１５、左アウト口３１６、右アウト口３１７のいずれかに入球し、当該アウト口と連通する図外の排出通路を介して機外に排出される。
【００２５】
演出表示装置１００は、例えば液晶表示画面等の演出表示画面１０５を備え、当該演出表示画面１０５に１〜８までの数字、及び特定のキャラクター等からなる演出図柄を変動表示可能な液晶表示装置である。
演出表示装置１００の演出表示画面１０５には、演出図柄の他、演出図柄の変動表示に伴って予告演出やリーチ演出とも呼ばれる画像や動画によって表現される多様な変動演出が表示され、遊技者は一般に、演出表示画面１０５上に表示される変動表示、及び変動演出を視認しながら遊技を楽しむこととなる。
【００２６】
［入賞装置３００の構成について］
次に、図３乃至図１１を参照し、遊技領域３０Ａ内の下端部中央側に設けられた入賞装置３００、即ち、複数の入賞部、複数のアウト口、及び、振分装置を有した入賞装置３００の詳細について説明する。
図３に示すように、当該入賞装置３００は、ベース３０１と、ベース３０１の後側（裏側）に設けられた部品支持体３０２と、振分装置３０３と、例えば始動口検出スイッチＳＷ１が搭載された球検出器３０４と、例えば始動口検出スイッチＳＷ２が搭載された球検出器３０５と、ベース３０１の前側に取付けられたカバー３０６とを備える。
振分装置３０３、球検出器３０４、球検出器３０５は、部品支持体３０２の前面に取付けられている。
尚、入賞部品３００は、中央アウト口の中心を通過する垂直線を対象軸として、ほぼ左右対称形状に衛星されている。
【００２７】
［ベース３０１の構成］
ベース３０１は、盤面形成板３１０と、左右の下部隔壁３１１Ｌ，３１１Ｒとを有する。
盤面形成板３１０には、振分体設置孔３１２と、例えば第１始動入賞口として機能させる左入賞口３１３と、例えば第２始動入賞口として機能させる右入賞口３１４と、中央アウト口３１５と、左アウト口３１６と、右アウト口３１７とが、それぞれ盤面形成板３１０を貫通する貫通孔により形成されているとともに、盤面形成板３１０の前面には、左右の入賞誘導路３９０Ｌ，３９０Ｒ（図８参照）を流下する遊技球が衝突することで当該遊技球の流下速度を減速させるための左右の減速手段としての左右の球減速用リブ３１８，３１９が設けられている。
左右の下部隔壁３１１Ｌ，３１１Ｒは、盤面形成板３１０の下縁の左右側より前側に突出して遊技領域３０Ａの下端を区画する内ガイド部２８の上面（内面）と近接して対向する隔壁である。図５に示すように、左の下部隔壁３１１Ｌは、左入賞口３１３よりも左側に設けられ、左アウト口３１６の下に位置する部分が左アウト口３１６への誘導路面として機能する。同様に、右の下部隔壁３１１Ｒは、右入賞口３１４よりも右側に設けられ、右アウト口３１７の下に位置する部分が右アウト口３１６への誘導路面として機能する。
【００２８】
［イレギュラー入賞抑制のための球減速用リブ３１８の構成］
図５に示すように、左の球減速用リブ３１８は、左入賞口３１３の上方における左の入賞誘導路３９０Ｌと左のアウト誘導路３９１Ｌ（図８参照）とが分岐する位置において盤面形成板３１０の前面より前方に突出し、かつ、左右方向に延長するように形成されている。
また、右の球減速用リブ３１９は、右入賞口３１４の上方における右の入賞誘導路３９０Ｒとアウト誘導路３９１Ｒ（図８参照）とが分岐する位置において盤面形成板３１０の前面より前方に突出し、かつ、左右方向に延長するように形成されている。
図５に示すように、左右の球減速用リブ３１８，３１９は、入賞口３１３，３１４の上方における入賞誘導路３９０Ｌ，３９０Ｒとアウト誘導路３９１Ｌ，３９１Ｒとが分岐する位置において左右の幅長Ｗ１が入賞誘導路３９０Ｌ，３９０Ｒの左右の幅長Ｗ２（図８参照）、及び、左右の入賞口３１３，３１４の左右の幅長Ｗ３よりも長くなるように形成されている。即ち、左右の球減速用リブ３１８，３１９は、左端３１８Ｌ，３１９Ｌが入賞口３１３，３１４の左端３１３Ｌ，３１４Ｌよりも左側に位置して、かつ、右端３１８Ｒ，３１９Ｒが入賞口３１３，３１４の右端３１３Ｒ，３１４Ｒよりも右側に位置するように設けられている。
左右の球減速用リブ３１８，３１９は、例えば、上端から前方下方に傾斜する上側傾斜面３９６と、上側傾斜面の下端から後方下方に傾斜して盤面形成板３１０の前面に到達する下側傾斜面３９７とを備える（図３参照）ことにより、入賞誘導路３９０Ｌ，３９０Ｒを流下してくる遊技球が上側傾斜面３９６に衝突して減速するように構成されている。
【００２９】
［ベース３０１の取付構成］
ベース３０１は、遊技盤３０の盤面３０Ｆにおいて外ガイド部２７及び内ガイド部２８で囲まれた遊技領域３０Ａ内の下端部中央側に形成された図外の開口部を覆うように盤面形成板３１０が遊技盤３０の盤面３０Ｆに取り付けられて当該盤面形成板３１０が遊技領域３０Ａの下端部中央側（中央下端部）の盤面を形成する。
遊技領域３０Ａの下端部中央側に形成された図外の開口部の大きさは、盤面形成板３１０の大きさよりも一回り小さく形成されており、盤面形成板３１０の周縁側に形成された取付孔３０７に挿入されて遊技盤３０に締結される止ねじ３０８等によってベース３０１が遊技盤３０の盤面３０Ｆに取付けられている（図８参照）。
【００３０】
［入賞部構成］
左入賞口３１３と、左入賞口３１３を経由して盤面形成板３１０の裏側に流下した球を検出するための球検出器３０４とにより、例えば第１始動入賞部５０が構成され、右入賞口３１４と、右入賞口３１４を経由して盤面形成板３１０の裏側に流下した球を検出するために球検出器３０５とにより、例えば第２始動入賞部５１が構成される。
【００３１】
［Ｙ軸寸法短縮構成（入賞口とアウト口との関係）］
図５に示すように、中央アウト口３１５は、左入賞口３１３と右入賞口３１４との間に位置するように形成されている。
左アウト口３１６は、左入賞口３１３よりも左側に位置するように形成されている。
右アウト口３１７は、右入賞口３１４よりも右側に位置するように形成されている。
そして、左右の入賞口３１３，３１４の中心、及び、左右のアウト口３１６，３１７の中心が、中央アウト口３１５の上縁における左右の中心位置３１５Ｃを通過してかつ盤面形成板３１０の下縁の中央側の下端縁３１０Ｕを形成する湾曲線（下方に突出する湾曲線）と平行な平行曲線Ｒ１上又は当該平行曲線Ｒ１の近傍に位置するように形成されている。言い換えれば、左右の入賞口３１３，３１４の中心、及び、左右のアウト口３１６，３１７の中心が、遊技領域３０Ａ内の下端側中央部に位置する内ガイド部２８の内面（上面）を形成する湾曲面と平行な平行曲線Ｒ１上又は当該平行曲線Ｒ１の近傍に位置するように形成されている。尚、当該湾曲線（湾曲面）と平行曲線Ｒ１との間の距離は、遊技球（パチンコ球）の直径寸法の１．５倍以下程度に形成されており、左右の入賞口３１３，３１４の下側周縁より前方に延長するように配置される左右の入賞口３１３，３１４の前方球受樋部３８２，３９２（図８参照）の下端と内ガイド部２８の内面との間の距離は遊技球の直径寸法よりも小さい寸法に形成されている。
即ち、図８に示すように、中央アウト口３１５、左右の入賞口３１３，３１４、及び、左右のアウト口３１６，３１７が、盤面形成板３１０の下端縁３１０Ｕに近い位置において、上述した平行曲線Ｒ１に沿って左右に並ぶように形成されており、そして、左右の入賞口３１３，３１４の下端３１３Ｅ，３１４Ｅが中央アウト口３１５の上端３１５Ｔよりも下方に位置するように形成されて、かつ、左右の入賞口３１３，３１４の前方球受樋部３８２，３９２の下端と内ガイド部２８の内面との間の距離が遊技球の直径寸法よりも小さい寸法に形成されている。
このように、中央アウト口３１５、左右の入賞口３１３，３１４、及び、左右のアウト口３１６，３１７を、盤面形成板３１０の下端縁３１０Ｕに近い位置において、上述した当該湾曲線（湾曲面）と平行な平行曲線Ｒ１に沿って左右に並ぶように形成し、さらに、左右の入賞口３１３，３１４の下端３１３Ｅ，３１４Ｅを、遊技領域３０Ａの最下端部に位置する中央アウト口３１５の上端３１５Ｔの位置よりも下方に位置させ、かつ、左右の入賞口３１３，３１４の前方球受樋部３８２，３９２の下端と内ガイド部２８の内面との間の距離を遊技球の直径寸法よりも小さい寸法に形成したことにより、振分装置３０３の振分体３２２を下方に位置させることができて、入賞装置３００における振分体３２２と遊技領域３０Ａの最下端（内ガイド部２８の内面）との間の垂直距離（Ｙ軸寸法（縦寸法））を短くすることが可能となるので、演出表示装置１００の演出表示画面１０５の画面サイズが大型化して、遊技領域３０Ａにおける演出表示画面１０５の下側のＹ軸寸法が短くなる場合でも、当該遊技領域３０Ａにおける演出表示画面１０５の下側に設置可能な振分機能付きの入賞装置３００となる。言い換えれば、遊技盤３０の遊技領域３０Ａの下部に当該入賞装置３００を配置した場合、当該入賞装置３００の上方の遊技領域３０Ａに大画面の演出表示装置１００を設けることができる。
さらに、左右のアウト口３１６，３１７の上側孔縁３１６Ｔ，３１７Ｔが、左右の入賞口３１３，３１４の上端を通過してかつ平行曲線Ｒ１と平行な平行曲線Ｒ２の近傍に位置しており、左右のアウト口３１６，３１７を内ガイド部２８の内面に近づけた構成としたことにより、左右の入賞口３１３，３１４も内ガイド部２８の内面に近い遊技領域３０Ａのより下端近くに配置できるようになる。
一方、特許文献１に開示された振分け機能を有した入賞装置では、アウト口の上方に入賞口を配置した構造であるため、入賞口の前方に設けられた前方球受樋部と内ガイド部の内面との間で球噛みが生じないようにするための球噛み対策として入賞口の前方に設けられた前方球受樋部と内ガイド部の内面との間の距離を大きくしていたので、振分け機能を有した入賞装置のＹ軸寸法(上下方向の寸法）が必然的に長くなってしまい、演出表示画面の画面サイズが大型化した場合、入賞装置を、遊技領域における演出表示画面の下側に配置することができなくなる。
【００３２】
［振分装置３０３の構成］
振分装置３０３は、振分動作部品３２０と、カウンターウエイト部３２１とを備える。
振分動作部品３２０は、振分体３２２と、振分体３２２の回転中心軸３２３と、振分体３２２とカウンターウエイト部３２１とを連結する連結部３２４とを備える。
振分体３２２は、回転中心軸３２３が貫通する筒孔を有した軸部３２５と、軸部３２５の周面において中心角１２０度隔てた位置から軸部３２５の径方向に延長するように設けられた３枚の羽根、即ち、上羽根３２６、左羽根３２７、右羽根３２８を備える。
連結部３２４は、振分体３２２の一端面に設けられたフランジ３３０と、当該フランジ３３０より延長するように設けられてカウンターウエイト部３２１に設けられた連結ピン３３４が連結される長孔部３３１とを備える。
振分体３２２と連結部３２４とが一体に形成されるか、振分体３２２と連結部３２４とが一体となるように固定されている。そして、軸部３２５に形成された筒孔及び当該筒孔に連通するようにフランジ３３０に形成された貫通孔を貫通した回転中心軸３２３の一端部が部品支持体３０２の前面に形成された図外の軸受部に固定され、かつ、回転中心軸３２３の他端部がカバー３０６の前面板３４０の内面に形成された軸受部３４７に固定されることにより、振分体３２２及び連結部３２４が回転中心軸３２３を回転中心として回転可能に構成される。尚、振分体３２２と連結部３２４と回転中心軸３２３とが一体になった構成とし、回転中心軸３２３の一端部が部品支持体３０２の前面に形成された軸受部に回転可能に支持され、かつ、回転中心軸３２３の他端部がカバー３０６の軸受部３４７に回転可能に支持された構成であってもよい。
【００３３】
［カウンターウエイト部３２１の構成］
カウンターウエイト部３２１は、揺動板３３３と、揺動板３３３の前面から前方に突出するように設けられた連結ピン３３４と、回転中心軸３３５とを備える。
揺動板３３３は、中央板部３３６と中央板部３３６の左右縁より左右に突出する左右のカウンターウエイト板３３７，３３８とを備える。
揺動板３３３の下端部に形成された軸挿入孔に挿入された回転中心軸３３５の一端部が、部品支持体３０２の前面に設けられた図外の軸受部に固定され、かつ、当該回転中心軸３３５の他端部が盤面形成板３１０の裏面に形成された図外の軸受部に固定されたことにより、揺動板３３３が当該回転中心軸３３５を回転中心として左右方向に揺動するように構成されている。
図１０に示すように、連結ピン３３４は、中央板部３３６の前面における上下の中央位置よりも若干上方の位置より前方に突出するように設けられている。当該連結ピン３３４が、連結部３２４の長孔部３３１の後方側から当該長孔部３３１を貫通するように設けられることで、連結ピン３３４が長孔部３３１の長手方向に移動可能に連結される。
尚、揺動板３３３と連結ピン３３４と回転中心軸３３５とが一体になった構成とし、回転中心軸３３５の一端部が部品支持体３０２の前面に形成された軸受部に回転可能に支持され、かつ、回転中心軸３３５の他端部が盤面形成板３１０の裏面に形成された軸受部に回転可能に支持された構成であってもよい。
【００３４】
［振分体３２２の振分体設置孔３１２への組み付け］
また、図５に示すように、振分体設置孔３１２は、上部側は振分体貫通孔部３１２Ａに形成され、下部側は連結ピンガイド面３１２Ｂ及び左右の連結ピン位置決め部３１２Ｌ，３１２Ｒに形成されている。
図４に示すように、振分体３２２が盤面形成体３１０の裏側から振分体貫通孔部３１２Ａを貫通して盤面形成体２１０の前面よりも前方に突出するように設置されて、フランジ３３０が振分体貫通孔部３１２Ａに入り込んでフランジ３３０の前面が、盤面形成体３１０の前面と同一平面上に位置するか、又は、盤面形成体３１０の前面よりも若干前方あるいは若干後方に位置するように設置される。連結ピンガイド面３１２Ｂは、上方に湾曲する湾曲面に形成され、連結ピン３３４が当該連結ピンガイド面３１２Ｂ上をスライド移動可能に構成される。左の連結ピン位置決め部３１２Ｌは、連結ピンガイド面３１２Ｂの左端側に設けられて、連結ピン３３４の左方向への移動及び上下方向の移動を規制する孔部により形成される。同様に、右の連結ピン位置決め部３１２Ｒは、連結ピンガイド面３１２Ｂの右端側に設けられて、連結ピン３３４の右方向への移動及び上下方向の移動を規制する孔部により形成される。
【００３５】
［カバー３０６の構成］
図６，図７に示すように、カバー３０６は、前面板３４０と、外壁３４１と、隔壁３４２と、振分入口３４３と、左右のアウト誘導路の出口３４４Ｌ，３４４Ｒと、球誘導部３４５と、取付部３４６とを備える。
前面板３４０は、ベース３０１の盤面形成板３１０と対向して、振分体３２２、左右の入賞口３１３，３１４、中央アウト口３１５の前側を覆う板である。
外壁３４１は、前面板３４０の裏面の周縁より後方に突出するとともに当該周縁に沿って延長するように設けられており、上部に設けられた切欠部によって振分入口３４３が形成され、左下部及び右下部に設けられた切欠部によってアウト誘導路の出口３４４Ｌ，３４４Ｒが形成されている。
隔壁３４２は、前面板３４０の裏面より後方に突出するように設けられている。
球誘導部３４５は、左右の入賞誘導路３９０Ｌ，３９０Ｒの前面壁を形成する前面板３４０の裏面位置より細幅状に僅かに突出するように設けられて振分入口３４３を介して左右の入賞誘導路３９０Ｌ，３９０Ｒに流下する遊技球を左右の入賞口３１３，３１４の方向に誘導する入賞誘導部３４５Ａと、左右の入賞口の前方に位置する前面板３４０の裏面位置より左右の入賞口前方球受樋部３８２，３９２の内側下面側に下方向に湾曲して左右の入賞口３１３，３１４に到達するように形成された左右の入賞口直前誘導板３４５Ｌ，３４５Ｒとを備える。
【００３６】
［カバー３０６の取付］
そして、カバー３０６は、前面板３４０が振分体３２２、左右の入賞口３１３，３１４、中央アウト口３１５の前側に位置され、かつ、外壁３４１の後端が盤面形成板３１０の前面に近接した状態となるように、例えば、盤面形成体３１０の裏側あるいはカバー３０６の前から取付部３４６に締結される図外の取付ねじにより、盤面形成板３１０に取付けられる。この場合、カバー３０６の前面板３４０の中心を通過して上下方向に延長するカバー３０６の中心線が盤面形成板３１０の中心線（中央アウト口３１５の中心を通過する垂直線）と一致するように、カバー３０６が盤面形成板３１０に固定される。そして、遊技領域３０Ａ内の下端部中央側において、入賞部品３００の中心線３００Ｃ（中央アウト口３１５の中心を通過する垂直線）と遊技領域３０Ａの中心を通過して上下方向に延長する中心線ＣＬとを一致させ、かつ、ベース３０１の盤面形成板３１０の下縁の中央側の下端縁３１０Ｕ、及び、左右の下部隔壁３１１Ｌ，３１１Ｒの下面と内ガイド部２８の上面（内面）とが近接した状態となるように位置決めされた状態で、入賞部品３００が遊技領域３０Ａ内の下端部中央側に取付けられる。
【００３７】
［カバー３０６の外壁３４１の構成］
尚、図８では、カバー３０６の内側の構成と盤面形成板３１０及び振分装置３０３の構成とがわかりやすくなるように、カバー３０６の前面板３４０を取り除いた状態で図示している。
カバー３０６の外壁３４１は、図８に示すように、左上側外壁３４１Ｌ、右上側外壁３４１Ｒ、下外壁３４１Ｕとを備える。
左上側外壁３４１Ｌは、振分入口３４３の左縁部３５０Ｌを形成する右端部から左斜め下に延長する上側傾斜部３５１と、当該上側傾斜部３５１の下端から上側傾斜部３５１よりも緩い傾斜で左斜め下方向に延長する中間傾斜部３５２と、中間傾斜部３５２の下端から上側傾斜部３５１よりも急な傾斜で左斜め下方向に延長して左のアウト誘導路３９１Ｌの出口３４４Ｌの上縁３６１Ｌに到達する下側傾斜部３５３とを備える。
左上側外壁３４１Ｒは、入賞部品３００の中心線３００Ｃを対象軸として左上側外壁３４１Ｌと左右対象な形状に形成されている。
下外壁３４１Ｕは、左のアウト誘導路３９１Ｌの出口３４４Ｌの下縁３５６Ｌからほぼ垂直下方向に延長する左縦壁３５７と、右のアウト誘導路３９１Ｒの出口３４４Ｒの下縁３５６Ｒからほぼ垂直下方向に延長する右縦壁３５９と、左縦壁３５７と右縦壁３５９とを繋ぐ下端壁３６０とを備える。
左のアウト口３１６は、右の孔縁が左縦壁３５７と隣接し、かつ、右の孔縁の上端３６２が左のアウト誘導路３９１Ｌの出口３４４Ｌの下縁３５６Ｌよりも上方に位置するとともに、左のアウト誘導路３９１Ｌの出口３４４Ｌの上縁３６１Ｌよりも下方に位置する。そして、左のアウト口３１６の上側孔縁３１６Ｔが、ベース３０１の下端縁３１０Ｕと平行な平行曲線Ｒ２の近傍に形成され、左のアウト口３１６の左の孔縁３６３が、左のアウト誘導路３９１Ｌの出口３４４Ｌの上縁３６１Ｌよりも下方に位置する上側孔縁３１６Ｔの左端から下方に延長してベース３０１の左の下部隔壁３１１Ｌに到達するように形成されている。
右アウト口３１７と右のアウト誘導路３９１Ｒとの関係も、上述した左のアウト口３１６と左のアウト誘導路３９１Ｌとの関係と同じように構成されている。
以上のように、左右のアウト口３１６，３１７と左右のアウト誘導路３９１Ｌ，３９１Ｒとが構成されているので、左右のアウト誘導路３９１Ｌ，３９１Ｒも、左右のアウト誘導路３９１Ｌ，３９１Ｒ及び左右の入賞口３１３，３１４に近い遊技領域３０Ａの下端側に配置されるため、上述した振分装置３０３の振分体３２２を下方に位置させることができて、入賞装置３００のＹ軸寸法を短くすることが可能となる。
【００３８】
［カバー３０６の隔壁３４２の構成］
隔壁３４２は、図８に示すように、中央隔壁３７０、左上側隔壁３７１、右上側隔壁３７２、左下側隔壁３７３、右下側隔壁３７４とを備える。
カバー３０６が盤面形成板３１０に固定された状態で、中央隔壁３７０が振分体３２２の下方に位置されて、中央隔壁３７０の左端３７５が左の入賞口３１３の右端３７６の上方に位置され、かつ、中央隔壁３７０の右端３７７が右の入賞口３１４の左端３７８の上方に位置される。
中央隔壁３７０は、左の入賞誘導路３９０Ｌの路面を形成する左路面形成壁３７０Ｌと、右の入賞誘導路３９０Ｒの路面を形成する右路面形成壁３７０Ｒと、左路面形成壁３７０Ｌと右路面形成壁３７０Ｒとを繋ぐ中央連結壁３７０Ｃとを備える。左路面形成壁３７０Ｌは、振分体３２２側から左斜め下方向に傾斜する路面を形成し、右路面形成壁３７０Ｒは、振分体３２２側から右斜め下方向に傾斜する路面を形成する。
左上側隔壁３７１は、左のアウト誘導路３９１Ｌの出口３４４Ｌの上縁３６１Ｌから右斜め上方向に延長して左のアウト誘導路３９１Ｌの上壁を形成する傾斜壁３８０と、この傾斜壁３８０の上端より上方に延長して左上側外壁３４１Ｌの下側傾斜部３５３の上端に繋がるように形成された左の入賞誘導路３９０Ｌの左縦壁を形成する縦壁３８１とを備える。
従って、左の入賞誘導路３９０Ｌは、中央隔壁３７０の左路面形成壁３７０Ｌと左上側外壁３４１Ｌと縦壁３８１とカバー３０６の前面板３４０とで囲まれた空間により形成される。
左下側隔壁３７３は、左の入賞口３１３の下側及び左右側の円弧に対応して湾曲した入賞口前方球受樋部３８２と、入賞口前方球受樋部３８２の左上端縁３８２Ｌと左のアウト誘導路３９１Ｌの出口３４４Ｌの下縁３５６Ｌとを繋ぐ左のアウト誘導路面３８３と、下外壁３４１Ｕの下端壁３６０より中央アウト口３１５の左縁に沿って上方に延長する縦壁部３８４と、入賞口前方球受樋部３８２の右上端と縦壁部３８４の上端とを繋ぐ中央左側アウト誘導路面３８５とを備える。
従って、左のアウト誘導路３９１Ｌは、傾斜壁３８０と左のアウト誘導路面３８３とカバー３０６の前面板３４０とで囲まれた空間により形成される。
よって、左の入賞誘導路３９０Ｌを流下してきて左の入賞口３１３に入賞しなかった遊技球は、左の入賞誘導路３９０Ｌを経由して左のアウト口３１６に流下するか、あるいは、中央隔壁３７０の左路面形成壁３７０Ｌと中央左側アウト誘導路面３８５との間を経由して中央アウト口３１５に流下する。
尚、右上側隔壁３７２、右下側隔壁３７４、右の入賞誘導路３９０Ｒ、右のアウト誘導路３９１Ｒは、入賞部品３００の中心線３００Ｃを対象軸として、左上側隔壁３７１、左下側隔壁３７３、左の入賞誘導路３９０Ｌ、左のアウト誘導路３９１Ｌと左右対象な形状に形成されている。
【００３９】
［イレギュラー入賞抑制のためのアウト誘導路３９１Ｌの出口間口と入口間口との関係（出口間口＜入口間口）］
左のアウト誘導路３９１Ｌの出口３４４Ｌの上縁３６１Ｌは左のアウト誘導路３９１Ｌの出口３４４Ｌの下縁３５６Ｌよりも左側上方に位置する。
そして、当該上縁３６１Ｌと下縁３５６Ｌとの間の最短距離、即ち、左のアウト誘導路３９１Ｌの出口３４４Ｌの間口寸法は、左のアウト誘導路３９１Ｌの入口の間口寸法、すなわち、左上側隔壁３７１の縦壁３８１の下端縁３８１ａと入賞口前方球受樋部３８２の左上端縁３８２Ｌとの間の最短距離よりも小さい寸法に形成されている。
【００４０】
［振分体３２２の動作説明］
振分装置３０３の振分体３２２は、振分入口３４３を介して流下してきた遊技球を左右の入賞口３１３，３１４のうちのいずれか一方へのみ導く第１形態と第２形態とに維持される。
例えば第１形態は、図９（ａ）に示すように、連結ピン３３４が右の連結ピン位置決め部３１２Ｒに維持されることによって、振分体３２２の上羽根３２６が垂直状態よりも若干左に傾いて振分入口３４３の左縁部３５０Ｌに向かって延長して、左羽根３２７が左路面形成壁３７０Ｌの右始端３９３に向かって延長し、かつ、右羽根３２８が右真横方向に向かって延長する状態に維持された形態である。
例えば第２形態は、図９（ｂ）に示すように、連結ピン３３４が左の連結ピン位置決め部３１２Ｌに維持されることによって、振分体３２２の上羽根３２６が垂直状態よりも若干右に傾いて振分入口３４３の右縁部３５０Ｒに向かって延長して、右羽根３２８が右路面形成壁３７０Ｒの左始端３９４に向かって延長し、かつ、左羽根３２７が左真横方向に向かって延長する状態に維持された形態である。
第１形態では、振分入口３４３を介して流下してきた遊技球Ｂ１を上羽根３２６と右羽根３２８との間で受け止めることが可能な状態である。
第１形態において、遊技球Ｂ１が上羽根３２６と右羽根３２８との間で受け止められた場合、右羽根３２８に遊技球Ｂ１の重量が加わることにより、振分体３２２が右回転する。この回転により、長孔部３３１が左方向に移動し、連結ピン３３４が連結ピンガイド面３１２Ｂを左方向に移動するととともに長孔部３３１内を上方に移動し、図１１に示すように、上羽根３２６が垂直状態となった後に、左のカウンターウエイト板３３７の重みにより、カウンターウエイト部３２１が左側に倒れた状態となって、図９（ｂ）に示す第２形態となる。この第１形態から第２形態に移行する際に、上羽根３２６と右羽根３２８との間で受け止められていた遊技球Ｂ１が右の入賞誘導路３９０Ｒに送り出される（図９（ｂ）参照）。
第２形態では、次に振分入口３４３を介して流下してくる遊技球Ｂ２を上羽根３２６と左羽根３２７との間で受け止めることが可能な状態である。そして、第２形態から第１形態に移行する際に、上羽根３２６と左羽根３２７との間で受け止められていた遊技球Ｂ２が左の入賞誘導路３９０Ｌに送り出される。
即ち、振分装置３０３は、振分入口３４３を介して流下してきた遊技球を左右の入賞口３１３，３１４のうちのいずれか一方へのみ導くように構成されている。
【００４１】
［Ｙ軸寸法短縮（入賞口とアウト口との関係）］
実施形態では、中央アウト口３１５、左右の入賞口３１３，３１４、及び、左右のアウト口３１６，３１７を、盤面形成板３１０の下端縁３１０Ｕに近い位置において、上述した当該湾曲線（湾曲面）と平行な平行曲線Ｒ１に沿って左右に並ぶように形成された振分装置３０３付き入賞装置３００としたので、振分装置３０３の振分体３２２を下方に位置させることができて、当該入賞装置３００におけるＹ軸寸法を短くすることができ、演出表示装置１００の演出表示画面１０５の画面サイズが大型化して、遊技領域３０Ａにおける演出表示画面１０５の下側のＹ軸寸法が短くなる場合でも、当該遊技領域３０Ａにおける演出表示画面１０５の下側に設置可能な振分装置付きの入賞装置３００を提供できるようになった。言い換えれば、遊技盤３０の遊技領域３０Ａの下部に当該入賞装置３００を配置した場合、当該入賞装置３００の上方の遊技領域３０Ａに大画面の演出表示装置１００を設けることができるようになる。
また、左右の入賞口３１３，３１４の下端３１３Ｅ，３１４Ｅを、遊技領域３０Ａの最下端部に位置する中央アウト口３１５の上端３１５Ｔの位置よりも下方に位置させたので、Ｙ軸寸法をさらに短くできる入賞装置３００を提供できる。
さらに、左右の入賞口３１３，３１４の前方球受樋部３８２，３９２の下端と内ガイド部２８の内面との間の距離を遊技球の直径寸法よりも小さい寸法に形成したので、入賞装置３００のＹ軸寸法をさらに短くできるようになる。
【００４２】
［イレギュラー入賞抑制］
実施形態では、入賞装置３００が、左右の入賞口３１３，３１４の上方における入賞誘導路３９０Ｌ，３９０Ｒとアウト誘導路３９１Ｌ，３９１Ｒとが分岐する位置において左右の幅長Ｗ１が入賞誘導路３９０Ｌ，３９０Ｒの左右の幅長Ｗ２（図８参照）、及び、左右の入賞口３１３，３１４の左右の幅長Ｗ３（図５参照）よりも長くなるように形成された左右の球減速用リブ３１８，３１９を備えているので、仮に、左右のアウト誘導路３９１Ｌ，３９１Ｒの出口３４４Ｌ，３４４Ｒを介して左右のアウト口３１６，３１７側に流下した遊技球がベース３０１の左右の下部隔壁３１１Ｌ，３１１Ｒに衝突して跳ね返ることでアウト誘導路３９１Ｌ，３９１Ｒに再び流入したとしても、この再びアウト誘導路３９１Ｌ，３９１Ｒに流入した遊技球が左の球減速用リブ３１８の左端３１８Ｌ、右の球減速用リブ３１９の右端３１９Ｒに衝突することにより、左右の入賞口３１３，３１４への入賞、所謂、イレギュラー入賞を抑制できるようになる。また、同様に、中央隔壁３７０の左路面形成壁３７０Ｌと中央左側アウト誘導路面３８５との間（中央左側アウト誘導路）を経由して中央アウト口３１５に流下した遊技球や、中央隔壁３７０の右路面形成壁３７０Ｒと中央右側アウト誘導路面との間（中央右側アウト誘導路）を経由して中央アウト口３１５に流下した遊技球が、内ガイド部２８の内面に衝突して跳ね返ったとしても、左の球減速用リブ３１８の右端３１８Ｒ、右の球減速用リブ３１９の左端３１９Ｌに衝突することにより、左右の入賞口３１３，３１４への入賞、所謂、イレギュラー入賞を抑制できるようになる。
さらに、左右のアウト誘導路３９１Ｌ，３９１Ｒの出口３４４Ｌ，３４４Ｒの間口寸法が、左右のアウト誘導路３９１Ｌ，３９１Ｒの入口の間口寸法よりも小さい寸法に形成されているので、左右のアウト誘導路３９１Ｌ，３９１Ｒの出口３４４Ｌ，３４４Ｒを介して左右のアウト口３１６，３１７側に流下した遊技球がベース３０１の左右の下部隔壁３１１Ｌ，３１１Ｒに衝突して跳ね返ったとしても、アウト誘導路３９１Ｌ，３９１Ｒに再び流入しにくくなるので、所謂、イレギュラー入賞を抑制できるようになる。
また、左のアウト誘導路３９１Ｌの出口３４４Ｌの上縁３６１Ｌが出口３４４Ｌの下縁３５６Ｌよりも左側上方に位置するように形成され、右のアウト誘導路３９１Ｒの出口３４４Ｒの上縁３６１Ｒが出口３４４Ｒの下縁３５６Ｒよりも右側上方に位置するように形成されているので、左右のアウト誘導路３９１Ｌ，３９１Ｒの出口３４４Ｌ，３４４Ｒを介して左右のアウト口３１６，３１７側に流下した遊技球がベース３０１の左右の下部隔壁３１１Ｌ，３１１Ｒに衝突して跳ね返って出口３４４Ｌ，３４４Ｒの上縁３６１Ｌ；３６１Ｒ側に衝突して下方に跳ね返った場合、ベース３０１の下部隔壁３１１Ｌ，３１１Ｒに衝突した後に左右のアウト口３１６，３１７に排出されるか、あるいは、出口３４４Ｌ，３４４Ｒの下縁３５６Ｌ；３５６Ｒに衝突した後に下部隔壁３１１Ｌ，３１１Ｒに流下して左右のアウト口３１６，３１７に排出される確率が高くなるので、所謂、イレギュラー入賞を抑制できるようになる。
即ち、実施形態の入賞装置３００は、中央アウト口３１５、左右の入賞口３１３，３１４、及び、左右のアウト口３１６，３１７が、内ガイド部２８の湾曲する遊技領域３０Ａの下端側の内面に沿って横に並ぶように配置されているため、当該内ガイド部２８の内面とアウト誘導路（左右のアウト誘導路３９１Ｌ，３９１Ｒ、中央左側アウト誘導路、中央右側アウト誘導路）の出口とが近くなる（尚、アウト誘導路は遊技球を左右の入賞誘導路３９０Ｌ，３９０Ｒから中央アウト口３１５、又は、左右の入賞口３１３，３１４に導く誘導路である）。従って、上述したようなイレギュラー入賞を抑制するための構成を備えない場合には、アウト誘導路の出口からアウト口側に流下した外れ球（死に球）がベース３０１の左右の下部隔壁３１１Ｌ，３１１Ｒや内ガイド部２８の内面に衝突して跳ね返ってアウト誘導路の出口からアウト誘導路に入って入賞口に入賞するイレギュラー入賞が起こりやすい構造となってしまう。そこで、実施形態では、上述したようなイレギュラー入賞を抑制する構成を採用して、イレギュラー入賞を抑制できるようにしたものである。
【００４３】
［パチンコ機の内部構成について］
図１２は、パチンコ機１の制御を担う制御手段の構成を示すブロック図である。同図に示すように、パチンコ機１は、主として遊技全般に係る基本動作を制御する主制御回路２４０と、主として賞球の払出動作を制御する払出制御回路２５０と、主として遊技球の発射を制御する発射制御回路２６０と、演出表示装置１００、役物装置５００、スピーカユニット８、ＬＥＤ等の発光体５７を制御する演出制御回路２７０とを備える。
【００４４】
主制御回路２４０は、（メイン）ＣＰＵ２４０ａ、（メイン）ＲＯＭ２４０ｂ、及び（メイン）ＲＡＭ２４０ｃを備えてなり、ＣＰＵ２４０ａが、各検出スイッチやタイマからの入力に対応してＲＯＭ２４０ｂに予め格納されたプログラムを読み出して、当該プログラムに従った演算処理を行い、主制御回路２４０に接続された上述の各ソレノイドＳＯＬ１〜ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置を直接的に制御したり、他の制御回路に多様なコマンドを送信する。また、このときＲＡＭ２４０ｃは、ＣＰＵ２４０ａの演算処理時におけるワークエリアとして機能し、演算に必要な各種のデータや、コマンドを一時的に保持する。
【００４５】
主制御回路２４０には、払出制御回路２５０、及び演出制御回路２７０が接続されている。払出制御回路２５０は、主制御回路２４０と同様に不図示のＣＰＵ、ＲＯＭ、ＲＡＭを備えたマイクロコンピュータであって、主制御回路２４０と一方向通信可能に接続されている。当該払出制御回路２５０には、外部情報出力端子板２５１が接続されている。外部情報出力端子板２５１は、主制御回路２４０（ＣＰＵ２４０ａ）及び払出制御回路２５０（払出ＣＰＵ）から出力された遊技の進行に関する種々の情報をパチンコ機１の設置店等に設けられたホストコンピュータ側に送信する。
【００４６】
また、払出制御回路２５０には、遊技者に対して賞球を払い出すための払出モータ２５２、及び賞球数計数スイッチ２５３が接続されている。払出制御回路２５０は、主制御回路２４０から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御回路２５０側において、適正な賞球数が払い出されたかが把握される。なお、払出制御回路２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００４７】
発射制御回路２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御回路２６０は、払出制御回路２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００４８】
演出制御回路２７０は、遊技進行中や待機中における各種の演出を制御する。
演出制御回路２７０は、（サブ）ＣＰＵ２７０ａ、（サブ）ＲＯＭ２７０ｂ、（サブ）ＲＡＭ２７０ｃを備えてなり、主制御回路２４０に対して、主制御回路２４０から演出制御回路２７０に対してのみ通信（一方向通信）が可能なように接続されている。当該演出制御回路２７０は、主制御回路２４０から送信される演出に関する各種のコマンドや内部タイマからの入力信号に基づいて、ＲＯＭ２７０ｂに予め格納されたプログラムを読み出して、当該プログラムに従った演算処理を行い、演出制御回路２７０に接続された可動演出表示装置１００の制御、及び、上述した役物装置５００の可動体演出制御、遊技進行中における楽曲や効果音などの音声をスピーカユニット８から出力させる音声出力制御や、光飾装置７０、遊技盤３０及びパネル枠４等の各所に配設されたＬＥＤ等の発光体５７を多様なパターンにより発行させる発光制御を実行する。このときＲＡＭ２７０ｃは、ＣＰＵ２７０ａの演算処理時におけるワークエリアとして機能し、演算に必要な各種のデータや、コマンド等を一時的に保持する。
【００４９】
また、演出制御回路２７０は、ＣＰＵ２７０ａと接続され、当該ＣＰＵ２７０ａより送信される画像表示に係る各種のコマンドを受信して演出表示画面１０５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２７０には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００５０】
以下、上記構成からなるパチンコ機１の遊技の流れについて概説する。
遊技者のハンドルユニット７の操作により遊技領域３０Ａ内を流下する遊技球が前述の第１始動入賞部５０又は第２始動入賞部５１又は第２始動入賞部５２に入球すると、主制御回路２４０では特別遊技（所謂大当り遊技）の実行可否に関する抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置６０を開放動作させ、遊技球の入球を容易とする特別遊技が実行される。
【００５１】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００５２】
１  パチンコ機（遊技機）、３０  遊技盤、３０Ａ  遊技領域、３００  入賞装置、
３１０  盤面形成板、３１３，３１４  左右の入賞口、３１５  中央アウト口、
３１６，３１７  左右のアウト口、３９０Ｌ，３９０Ｒ  左右の入賞誘導路、
３９１Ｌ，３９１Ｒ  左右のアウト誘導路、
３１８，３１９  左右の球減速用リブ（減速手段）、３１８Ｌ，３１９Ｌ  左端、
３１８Ｒ，３１９Ｒ  右端。
【図１】
2018166973.tif 000003
【図２】
2018166973.tif 000004
【図３】
2018166973.tif 000005
【図４】
2018166973.tif 000006
【図５】
2018166973.tif 000007
【図６】
2018166973.tif 000008
【図７】
2018166973.tif 000009
【図８】
2018166973.tif 000010
【図９】
2018166973.tif 000011
【図１０】
2018166973.tif 000012
【図１１】
2018166973.tif 000013
【図１２】
2018166973.tif 000014